(57)【特許請求の範囲】
【請求項１】
相互近接配置された１対の紐が各別に長手方向に沿って移動自在なまま挿通可能にする紐通孔を、備えたペット用引き紐の止め具であって、
前記紐通孔の一端側には、各別の紐の長手方向に沿った移動を規制するために、係止溝部が径外方向の対称位置に連設されていることを特徴とするペット用引き紐の止め具。
【請求項２】
前記紐通孔には、第１紐通部と第２紐通部とに仕切られる隔壁が軸方向に沿って形成され、
前記第１、第２紐通部のそれぞれに対して、前記１対の紐を各別に挿通可能であることを特徴とする請求項１に記載のペット用引き紐の止め具。
【請求項３】
前記隔壁は、前記紐通孔の軸心方向一端側開口部から軸心方向中央部近傍にわたって形成されていることを特徴とする請求項２に記載のペット用引き紐の止め具。
【請求項４】
前記係止溝部は、紐が係止溝部に係止されて、該紐に張りが与えられた状態で紐が係止溝の溝奥部の一端と他端とで接触しかつ中途部で接触しないように構成されていることを特徴とする請求項３に記載のペット用引き紐の止め具。
【発明の詳細な説明】
【技術分野】
【０００１】
本発明は、例えば、小型犬のショーリードに用いられるペット用引き紐の止め具に関するものである。
【背景技術】
【０００２】
近年、チワワ、トイプードル、ミニチュア・ダックスフンド等のような小型犬用のショーリードが市販されている。このショーリードは、首輪部分とリード（引き紐）部分とが一体になっている。このため、首輪を装着していない室内犬を散歩させる際に、飼い主は、犬の首回りの大きさに応じて首輪部分の大きさを調整し、犬の首回りに沿って首輪部分を留める。そして、この首輪部分を留める際に、飼い主は、止め具を使用する。
【０００３】
この止め具については、一般に２つの部材で構成されることが多い。例えば、首輪部分の大きさを調整するための筒金具と、首輪を形成する紐をクロスさせ設定した首輪の大きさを維持するための小リングと、からなるものが広く知られている。
しかし、２つの部材からなる止め具は、飼い主が止め具を使用する際、２つの操作すなわちそれぞれの部材の調整が必要となる。２つの操作の過程で、犬が動いてしまうことがあるため、飼い主にとって首輪のセットが負担となる。この負担を軽減するため、１つの部材からなる止め具のニーズが飼い主からある。
【０００４】
例えば、特許文献１には、１つの部材からなる止め具として、操作ボタンを用いた止め具が開示されている。この止め具は、ボタンを移動させるだけの簡単な操作で、犬の首回りに沿ってサイズ調整済みの首輪部分を留めることが可能である。
【先行技術文献】
【特許文献】
【０００５】
【特許文献１】実開昭５７−１４９７６７号公報
【発明の概要】
【発明が解決しようとする課題】
【０００６】
特許文献１の操作ボタンを用いた止め具の場合、角筒状本体、クラッチ輪、及び操作ボタン等複数部材から成り、構造が複雑であるという問題があった。
そこで、本発明は上記問題に鑑みてなされたものであって、１つの部材で構成することが可能で、かつシンプルな構造となっているペット用引き紐の止め具を提供することを目的とする。
【課題を解決するための手段】
【０００７】
前記目的を達成するため、本発明は次の技術的手段を講じている。
すなわち、本発明のペット用引き紐の止め具は、相互近接配置された１対の紐が各別に長手方向に沿って移動自在なまま挿通可能にする紐通孔を、備えたペット用引き紐の止め具であって、前記紐通孔の一端側には、各別の紐の長手方向に沿った移動を規制するために、係止溝部が径外方向の対称位置に連設されている。
【０００８】
また、前記紐通孔には、第１紐通部と第２紐通部とに仕切られる隔壁が軸方向に沿って形成され、前記第１、第２紐通部のそれぞれに対して、前記１対の紐を各別に挿通可能であることが好ましい。
さらに、前記隔壁は、前記紐通孔の軸心方向一端側開口部から軸心方向中央部近傍にわたって形成されていることが好ましい。
【０００９】
そして、前記係止溝部は、紐が係止溝部に係止されて、該紐に張りが与えられた状態で紐が係止溝の溝奥部の一端と他端とで接触しかつ中途部で接触しないように構成されていることが好ましい。
【発明の効果】
【００１０】
本発明によれば、１つの部材で構成することが可能で、かつシンプルな構造となっているペット用引き紐の止め具を提供することができる。
【図面の簡単な説明】
【００１１】
【図１】本発明に係るペット用引き紐の止め具を、紐が装着された状態で、裏側から見た図である。
【図２】（ａ）はペット用引き紐の止め具を表側から見た図であり、（ｂ）は図２（ａ）のＡ−Ａ線矢視断面図であり、（ｃ）は図２（ｂ）のＢ−Ｂ線矢視断面図であり、（ｄ）はペット用引き紐の止め具１を裏側から見た図である。
【図３】ペット用引き紐の止め具と紐とを、ペットに装着した状態を示す斜視図である。
【図４】ペット用引き紐の止め具と紐とを、ペットに装着したその他の別実施形態を示す斜視図である。
【発明を実施するための形態】
【００１２】
以下、本発明に係るペット用引き紐の止め具の実施形態を、図１、図２及び図３を用いて説明する。
図１は、本発明に係るペット用引き紐の止め具１を、紐２が装着された状態で、裏側（ペットの首回りが配置される側）から見た図である。
図２は、図１のペット用引き紐の止め具１を拡大した図である。ここで、図２（ａ）は、ペット用引き紐の止め具１を表側（ペットの首回りが配置される側とは反対側）から見た図である。図２（ｂ）は、図２（ａ）のＡ−Ａ線矢視断面図である。また、図２（ｃ）は、図２（ｂ）のＢ−Ｂ線矢視断面図である。そして、図２（ｄ）は、ペット用引き紐の止め具１を裏側から見た図である。
【００１３】
ここで図２（ｂ），図２（ｃ）における上下に沿った方向を、「前後方向Ｘ」と以後定義する。また、図２（ａ），図２（ｂ），図２（ｄ）における左右に沿った方向を、「左右方向Ｙ」と以後定義する。さらに、図２（ａ），図２（ｄ）における上下に沿った方向を、「上下方向Ｚ」と以後定義する。
図３は、ペット用引き紐の止め具１と紐２とを、ペットに装着した状態を示す斜視図である。
【００１４】
図３に示すように、首輪部分３とリード（引き紐）部分４とが一体になった紐２（ショーリード）を、飼い主が犬をはじめとするペットの首回りの大きさに応じて首輪部分３を留める。この首輪部分３を留める際に、飼い主は、ペット用引き紐の止め具１を使用する。ここで、ペットとは、図３に示されている犬の他、うさぎ、猫等をいう。
以下ペット用引き紐の止め具１の詳細について、説明する。
【００１５】
図１〜図３に示すように、ペット用引き紐の止め具１は、球体状に形成されていて、合成樹脂で製作されている。このペット用引き紐の止め具１には、１対の紐２を挿通するための紐通孔５が形成されている。ここで、紐２の形状については、丸紐状となっている。
紐通孔５は、図２（ｂ）に示すように、ペット用引き紐の止め具１の前後方向Ｘにおける一端部１Ａから他端部１Ｂにわたって、設けられている。前後方向Ｘに沿って１対の紐２が各別に移動自在なまま挿通可能とするために、紐通孔５の左右方向Ｙにおける幅Ｌは、図２（ａ），図２（ｂ），図２（ｄ）に示すように、相互近接配置された状態における一対の紐２の太さ乃至厚みより大きくなるように設定されている。また、紐通孔５の上下方向Ｚにおける幅ｌについても、図２（ａ），図２（ｄ）に示すように、紐２単独の太さ乃至厚みより大きくなるように設定されている。
【００１６】
紐通孔５には、図２に示すように、第１紐通部５Ａと第２紐通部５Ｂとに仕切られる隔壁６が前後方向Ｘ（紐通孔５の軸心方向）に沿って形成されている。ここで、第１紐通部５Ａと第２紐通部５Ｂとの左右方向Ｙにおける幅Ｌ’は、共に紐２単独の太さ乃至厚みより大きくなるように設定されている。
また、紐通孔５の一端側（ペット用引き紐の止め具１の一端部１Ａ側）には、各別の紐２の長手方向に沿った移動を規制するために、これら紐２を嵌め込む係止溝部７が径外方向の対称位置に連設されている。
【００１７】
隔壁６は、上下方向Ｚ（図２（ａ），図２（ｄ）参照）に立設され、紐通孔５の軸心方向一端側開口部５Ｃから軸心方向中央部５Ｄ近傍（図２（ｂ）参照）にわたって形成されている。
係止溝部７は、図２（ｂ）に示すように、ペット用引き紐の止め具１の一端部１Ａからペット用引き紐の止め具１の前後方向Ｘ中央部近傍にわたって設けられている。すなわち、係止溝部７の前後方向Ｘの長さは、隔壁６の前後方向Ｘの長さと略等しくなっている。
【００１８】
ところで、係止溝部７は、図２（ｂ）に示すように、係止溝部７の一端７Ａ側から他端７Ｂ側にかけて溝奥部７Ｃが紐通孔５の径外側に屈曲している。すなわち、係止溝部７は、紐２が係止溝部７に係止されて、紐２に張りが与えられた状態で紐２が係止溝部７の溝奥部７Ｃの一端７Ａと他端７Ｂとで接触しかつ中途部で接触しないように形成される。
以上述べた構成を有するペット用引き紐の止め具１及び紐２を、ペットに装着する際の作動態様、装着後の作動態様、ペットから取り外す際の作動態様について以下に述べる。
【００１９】
まず、１本の紐２を折り返す。そのうえで、図１に示すように、折り返しによって形成された１対の紐２の先端それぞれを、開口部５Ｃ側から第１紐通部５Ａ、第２紐通部５Ｂに挿入し、紐通孔５を経由してペット用引き紐の止め具１の他端部１Ｂ外方に突出させる。
紐２については、紐２の太さ乃至厚みが、紐通孔５、第１紐通部５Ａ、第２紐通部５Ｂにおける左右方向Ｙ、上下方向Ｚの幅より小さく設定されている。よって、紐２は、第１紐通部５Ａ、第２紐通部５Ｂ、紐通孔５を容易に通過させることができる。このようにすることで、図１に示すように、開口部５Ｃ側にある紐２については、輪状になっていて、ペットの首回りに装着するための首輪部分３となる。そして、この首輪部分３の外周の大きさは、ペット用引き紐の止め具１を紐２の長手方向に沿って移動させることで、容易に調整することが可能となる。
【００２０】
次に、この首輪部分３をペットの首回りに取り付ける。ペットの首回りに首輪部分を取り付ける際、首輪部分３は、ペットの顔回りを経由して首回りに至る。このため、首輪部分３の外周の大きさをペットの顔回りの大きさより大きくなるように、飼い主は、ペット用引き紐の止め具１を調整する。ペットの首回りに到達した首輪部分３は、首輪部分３がペットの頭部から抜き出ないようにするために、首輪部分３の外周の大きさをペットの首回りの大きさと略等しくなるようにペット用引き紐の止め具１の調整を介して行われる。
【００２１】
そして、外周の大きさを設定した首輪部分３の大きさを保持させるために、飼い主は、１対の紐２を係止溝部７に嵌め込む。紐２が係止溝部７に嵌め込まれると、紐は、長手方向に沿った移動を規制される。
ところで、第１紐通部５Ａと第２紐通部５Ｂとに仕切られる隔壁６が前後方向Ｘに沿って形成されている。この隔壁６の存在により、輪状になった首輪部分３が、ペット用引き紐の止め具１の一端部１Ａから他端部１Ａに向かって抜け出せないようになっている。これにより、ペット用引き紐の止め具１の使用時には、いったん輪状に形成された首輪部分３のままの状態で使用開始することが可能となり、飼い主がわざわざ紐２を紐通孔５に挿通する必要がなくなるため、便利である。さらに、隔壁６は、図２（ｂ）に示すように、紐通孔５の軸心方向一端側開口部５Ｃから軸心方向中央部５Ｄ近傍にわたって形成されている。隔壁を紐通孔５の軸心方向一端から軸心方向中間位置までに留めることで、紐通孔５における紐２の長手方向に沿った移動の際、紐２と隔壁６との摺動による摩擦が、隔壁を紐通孔５の軸心方向全長にわたって設けた場合と比較して、少なくなる。これにより、首輪部分３の外周の調整が、よりスムーズに行うことが可能になる。
【００２２】
紐２が係止溝部７に嵌め込まれると、図３に示すように、リード（引き紐）部分４と首輪部分３とが一体になった紐２（ショーリード）が形成される。このとき、紐２が係止溝部７に係止される際、紐２に張りが与えられた状態で紐２は、係止溝部７の溝奥部７Ｃの一端７Ａと他端７Ｂとで接触しかつ中途部で接触しないように形成される。これにより、紐２が係止溝部７の一端７Ａの尖った部分にしっかりと係止されるため、紐２の長手方向の移動規制は、（溝奥部７Ｃの中途部を含めた）溝奥部７Ｃ全体で係止される場合と比較して、より高められることになる。
【００２３】
ペット用引き紐の止め具１及び紐２をペットから取り外すには、係止溝部７に嵌め込まれている紐２を、紐通孔５に移動させる。紐２が係止溝部７から紐通孔５に移ることで、紐２の長手方向の移動規制が解除される。
次に、ペットの首回りに装着している首輪部分３をペットの首回りから取り外すために、ペット用引き紐の止め具１を首輪部分３とは反対方向に向かって摺動させ、首輪部分３の外周の大きさをペットの顔回りの大きさより大きくするようにする。そのうえで、首輪部分３をペットの頭部から抜き出す。
【００２４】
以上のように、本実施形態のペット用引き紐の止め具１は、１つの部材で構成することが可能で、かつシンプルな構造となっている。加えて、ペット用引き紐の止め具１及び紐２をペットに脱着する際、紐２の長手方向に沿った移動規制及び移動規制の解除が容易で、ペット用引き紐の止め具１の調整も容易かつスムーズに行うことが可能である。そして、いったん首輪を形成すると輪状を保持したまま使用可能であるため、非常に使い勝手が良い。
【００２５】
なお、本発明のペット用引き紐の止め具１は、上記実施の形態に限定されるものではない。
例えば、首輪部分３とリード（引き紐）部分４とが一体になった紐２いわゆるショーリードに使用が限定されるものではなく、図４に示すように、胴輪等に使用してもよい。
また、紐２の形状については、丸紐状に限定されるものではなく、平紐状であってもよい。これにより、平紐状の紐２を嵌め込むための係止溝部７を、図２（ａ），図２（ｂ）に示すように半円形状ではなく、楕円形状等にしてもよい。
【００２６】
さらに、紐２の長手方向に沿った調整をするために、ペット用引き紐の止め具１の一端部１Ａ側先方に別体のリングを設けてもよい。
【産業上の利用可能性】
【００２７】
本発明は、例えば、小型犬のショーリードに用いられるペット用引き紐の止め具に利用することができる。
【符号の説明】
【００２８】
１  ペット用引き紐の止め具
１Ａ  一端部
１Ｂ  他端部
２  紐
３  首輪部分
４  リード（引き紐）部分
５  紐通孔
５Ａ  第１紐通部
５Ｂ  第２紐通部
５Ｃ  開口部
５Ｄ  中央部
６  隔壁
７  係止溝部
７Ａ  一端
７Ｂ  他端
７Ｃ  溝奥部
【図１】
0005427747.tif 000002
【図２】
0005427747.tif 000003
【図３】
0005427747.tif 000004
【図４】
0005427747.tif 000005